(57)【要約】【課題】経路を通過するメダルの検出に際して、異物検出の信頼性を高める。【解決手段】第１発光部２１６ａと第２発光部２１６ｂとにパルス状の発光信号を出力するに当たり、パルス信号の性状に変化を来す。例えば、パルス振幅が変化するようにして、或いはパルス幅が変化するようにして出力する。こうすれば、第１受光部２２０ａ、第２受光部２２０ｂは、上記したパルス性状での発光信号に同期して光を受光し、パルス振幅・パルス幅で定まる光量に応じた受光信号を出力する。自ら発光する発光異物では、パルス状の発光を行うものの、上記したようなパルス性状に変化を来して発光するものではないことから、発光のためのパルス信号の変化状況と受光信号の出力状況の一致状況に基づいて、発光異物を高い信頼性で検出する。【選択図】図８
2014205007.tif 000002
【特許請求の範囲】
【請求項１】
メダルを用いて遊技する遊技機であって、
投入を受けたメダルを導くメダル経路と、
光を射出する発光部と受光した光量に応じて受光信号の出力状態が変化する受光部とを
備え、前記メダル経路を通過する検出対象物に前記発光部の光を照射して前記受光部から
前記受光信号を得る光学系と、
前記発光部から射出され前記検出対象物に照射される光の性状を変化させて、前記検出
対象物に光を照射する発光性状変化部と、
前記検出対象物に照射される光の前記性状の変化状況と前記変化した性状の光を受光す
る前記受光部の前記受光信号の出力状況との一致状況に基づいて、前記検出対象物が真正
のメダルであるかを検出する検出部と、
該検出部の検出結果に応じて、前記遊技機の遊技の継続許可と遊技停止を決定する遊技
継続決定部とを備える
遊技機。
【発明の詳細な説明】
【技術分野】
【０００１】
本発明は、メダル投入を受けて遊技を開始する遊技機、特に遊技機におけるメダル検出
に関する。
【背景技術】
【０００２】
メダルを用いた遊技機は、例えばスロットマシンが良く知られており、当該マシンでは
、メダル投入を受けて遊技が開始される。遊技開始に際しては、実際にメダルが投入され
た事の検出のほか、投入されたメダルの真偽判定も要請されている。そして、こうした要
請に応えるべく、種々の提案がなされている（例えば、特許文献１）。
【０００３】
【特許文献１】特開２００５−２６１７７８号公報
【０００４】
この特許文献では、発光部が発した光を検出対象物で反射させ、メダル以外の異物の表
面で光が反射した際の反射光の減衰を利用している。そして、メダルとそれ以外の異物と
では、こうした反射光減衰の結果として、メダルがない場合と透明な異物がある場合での
受光部での受光レベルに差が出るので、この受光レベル差をメダル検出や真偽判定（異物
判定）に用いている。
【０００５】
また、発光部での光の射出を一定周期のパスル信号出力に基づいたパルス状のものとし
、光の出射パスルと受光部での受光信号パルスとの同期を取ることで、異物判定の精度向
上が図られている。
【０００６】
ところで、自らが光を発して受光部に受光信号を出力させる発光性の異物がメダルに代
わって遊技機に投入することも予想される。こうした発光性異物は、パルス状に発光を起
こすよう構成され、そのパルス周期も調整されていることがある。そうすると、発光性異
物の発光周期が遊技機における発光部の出射を起こすパルス信号の周期と一致すると、発
光性異物はメダルを擬制することになり、発光性異物を誤ってメダルと誤判定してしまう
危惧がある。
【発明の概要】
【発明が解決しようとする課題】
【０００７】
本発明は、メダルを用いた遊技機におけるメダル検出に際しての上記問題点を解決する
ためになされ、異物検出の信頼性の向上を図ることをその目的とする。
【課題を解決するための手段】
【０００８】
かかる課題の少なくとも一部を解決するため、本発明の遊技機では、メダル経路を通過
するメダルを検出するに当たり、発光部から光を射出してその光を受光部で受光し、この
受光部は、受光光量に応じて受光信号の出力状態を変化させる。こうした光射出に際して
は、発光部から射出され検出対象物に照射される光の性状を変化させて、検出対象物に光
を照射する。この光の性状としては、例えばパルス状に光を射出した場合にその光量を定
めるパルス振幅、パルス幅の他、光の色を例示することができ、こうした性状に変化を来
すことについては後述する。
【０００９】
上記したように光の性状を変化させて光射出を行う上で、発光部と受光部でいわゆる透
過型の光学系を構成すれば、メダルがメダル経路に無い場合には受光部は性状が変化した
射出光をその性状変化に即して受光信号を出力し、反射型の光学系であれば、メダルがメ
ダル経路に無い場合には受光部は受光信号を出力しない。その一方、メダルがメダル経路
に有れば、通常金属製であるメダルにより、透過型の光学系では光が遮られて受光部は受
光信号を出力せず、反射型の光学系ではメダルで反射した光が受光部で受光され、受光部
は性状が変化した射出光をその性状変化に即して受光信号を出力する。そして、光の性状
に変化を付けた発光光（出射光）の性状の変化状況とこれに対応して受光部が出力する受
光信号の出力状況の一致状況に基づいて、透過型であれ反射型であれ、メダルの有無や真
偽判定（真正のメダルであることの判定）を下し、その結果に応じて、具体的には、真正
のメダルであれば遊技機の遊技の継続を許可し、メダルに擬制した異物であれば遊技の停
止を決定する。
【００１０】
メダルＭの通過を擬制する異物としての発光異物では、発光と非発光の切り替え制御状
況が遊技機投入前に外部で予め調整されているものの、発光・非発光の切り替え制御状況
を変化させることを想定しているものではない。よって、真正のメダルＭを投入した場合
と、上記の異物を投入した場合とでは、上記した発光光（出射光）の性状の変化状況と受
光信号の出力状況の一致状況には、顕著な差異が見られる。この結果、上記構成を有する
本発明の遊技機によれば、異物検出の信頼性を高めることができ、異物検出の検出結果に
応じた遊技機の遊技の継続許可と遊技停止との決定についても信頼性が高まる。
【００１１】
なお、発光異物が発光と非発光の切り替え制御状況を仮に変化させるとしても、この変
化の状況をこれら異物が投入された遊技機における光の性状の変化の状況と一致させるこ
とは困難である。そして、遊技機ごとに光の性状の変化の状況を変えれば、発光異物にお
ける発光と非発光の切り替え制御状況を遊技機ごとに調整せざるを得ず、こうした調整も
困難である。よって、異物検出の信頼性は高まる。
【００１２】
上記したように光の性状に変化を来す本発明の遊技機は、光の性状を変化させるに当た
り、パルス状に光を射出した場合のその射出光量変化をもたらすパルスの性状（パルス振
幅、パルス幅）を変化させる態様と、光の色を変化させる態様に区別できる。よって、ま
ず、パルス状に光を射出した場合のパルスの性状を変化させる態様について説明する。
【００１３】
このようにパルスの性状を変化させる態様の本発明の遊技機では、パスル信号を生成し
てそのパルス信号を前記発光部に出力して、前記発光部からパルス状の光射出を行う。こ
れにより、発光部と受光部でいわゆる透過型の光学系を構成すれば、メダルがメダル経路
に無い場合には受光部はパルス状で受光信号を出力し、反射型の光学系であれば、受光部
は受光信号を出力しない。その一方、メダルがメダル経路に有れば、通常金属製であるメ
ダルにより、透過型の光学系では光が遮られて受光部は受光信号を出力せず、反射型の光
学系ではメダルで反射した光が受光部で受光され、受光部はパルス状に受光信号を出力す
る。そして、パルス状の発光をもたらすパルス信号の性状の変化状況と、これに対応して
受光部が出力するパルス状の受光信号の出力状況の一致状況に基づいて、透過型であれ反
射型であれ、メダルの有無や真偽判定（真正のメダルであることの判定）を下し、その結
果に応じて、具体的には、真正のメダルであれば遊技機の遊技の継続を許可し、メダルに
擬制した異物であれば遊技の停止を決定する。
【００１４】
次に、上記態様の本発明の遊技機での上記した発光異物検出の様子について説明する。
まず、透過型の光学系と反射型の光学系における発光異物の検出について説明する。
【００１５】
透過型の光学系を有する遊技機において、発光異物がメダルに代わって投入されたとす
る。この発光異物は、光学系の発光部の側を非透光性としその裏面、即ち光学系の受光部
側で自らがパルス状に発光することで、メダルの通過を擬制する。ここで、この発光異物
は外部で調整済みの周期で発光しているとする。そうすると、透過型の光学系では、受光
部は発光異物が発するパルスと同期したパルス状の受光信号を出力する。本発明の遊技機
では、光学系での発光部の発光状態を、発光部に出力するパルス信号に依存したパルス状
の光射出としていると共に、その射出光量の変化をもたらすパルス信号の性状、例えばパ
ルス振幅、パルス幅の少なくとも一つに変化を来している。よって、発光部でのパルス状
発光のために性状変化を来しているパルス信号と、外部で調整済みのパルス発光している
発光異物の発光に基づく受光部でのパルス状の受光信号とは、両パルス状信号の性状であ
るパルス振幅或いはパルス幅においてほとんど一致することがない。仮に、発光異物の信
号（パルス振幅、パルス幅）と発光部の発光のためのパルス信号（パルス振幅、パルス幅
）とが一致していても、本発明はこのパルス信号の性状（パルス振幅、パルス幅）に変化
を来すので、パルス信号性状が一致する状態が継続することはない。しかも、パルス振幅
とパルス幅の両パルス性状についても変化を来すようにすれば、発光異物において調整済
みのパルス状発光をもたらすパルス信号性状とパルス状の受信信号のパルス性状とが一致
することは、ほとんど起き得ない。なお、発光異物が発光部の発光状態を検出するセンサ
を有するとしても、発光部のパルス状の光射出の状態、詳しくはパルス振幅、パルス幅と
いったパルス信号の性状を検出するには、センサの複雑化、大型化を招くので、メダルに
擬制したサイズではこうしたセンサ搭載の発光異物の実現性は低いと予想される。
【００１６】
反射型の光学系を有する遊技機において、発光異物がメダルに代わって投入されたとす
る。この場合は、発光異物は、光学系の受光部側に向けて自らがパルス状に発光して反射
光が受光部に届いたようにすることで、メダルの通過を擬制する。この場合であっても、
上記したように、性状変化を来しているパルス信号の性状変化の状況と、発光異物の発光
に基づく受光部でのパルス状の受光信号の出力状況の一致は見られず、仮に、両信号の変
化の状況が一致していても、既述したようにその一致状態を継続することはできない。
【００１７】
この結果、上記構成を有する本発明の遊技機によれば、異物検出の信頼性を高めること
ができ、異物検出の検出結果に応じた遊技機の遊技の継続許可と遊技停止との決定につい
ても信頼性が高まる。
【００１８】
本発明の遊技機は、次のような態様とすることもできる。例えば、パルス振幅、パルス
幅といったパルス性状に変化を来してパルス信号を生成するに当たり、こうしたパルス信
号の性状の変化状況を設定するようにできる。こうすれば、設定の都度にパルス性状が変
化するので、発光部でのパルス状発光のために性状変化を来しているパルス信号の性状変
化状況と、上記した異物により受光部で得られるパルス状の受光信号の出力状況の一致を
より困難にでき、異物検出の信頼性をより一層高めることができる。こうした性状変化の
設定は、所定タイミングで行うようにでき、例えば、前記遊技機への電源投入タイミング
、ユーザーによる設定操作部の操作タイミング、所定時間ごとの周期タイミング、前記遊
技機における所定の遊技状態（例えば、大当たり入賞）への推移タイミングの少なくとも
いずれかのタイミングでパルス信号の性状の変化状況を設定すればよい。こうすれば、パ
ルス性状は設定タイミングの都度に変わるので、異物検出の更なる信頼性向上を図ること
ができる。
【００１９】
また、上記の本発明の遊技機では、光学系を前記メダル経路に沿って少なくとも２個備
えるものとして、該２個の光学系を第１光学系と第２光学系とし、パルス信号生成に当た
っては、前記第１光学系に前記発光制御部を介して出力されるパルス信号と、前記第２光
学系に前記発光制御部を介して出力されるパルス信号とにおいて、前記パルス信号の性状
に変化を来して、前記第１光学系の前記パルス信号と前記第２光学系の前記パルス信号を
個別に生成するようにできる。こうすれば、第１光学系と第２光学系とでは、異なるパル
ス性状により発光部でのパルス状の光発光（光射出）を異なる性状とできるので、上記し
た発光異物が第１、第２の光学系を順次通過する際において、それぞれの光学系での高い
信頼性での異物検出と相俟って、両光学系を有する本発明の遊技機における異物検出の信
頼性を更に向上できる。この場合、パルス信号の性状変化をパルス振幅、パルス幅におい
て来すようにすれば、第１、第２の光学系において、パルス状発光の光量、詳しくはパル
ス状に発光する際の各発光の際の光量を相違させる。よって、発光異物のパルス状発光を
光学系ごとに発光量が相違するよう制御することは困難となるので、異物検出の信頼性が
高まる。
【００２０】
次に、光の色を変化させる態様について説明する。この態様の本発明の遊技機では、メ
ダル経路を通過するメダルを検出するに当たり、複数種類の色の光を該色ごとに照射する
発光部と、この発光部が照射する光の色ごとに該色の光を受光する複数の受光部とを用い
、発光部からの射出光の色を変更する。そして、こうして色が変化した射出光を、その光
の色に対応した受光部で受光して、受光部から受光光量に応じた受光信号を得る。この場
合、発光部からの射出光の色変更の順に、光を受光する受光部は変化し、発光部の発光の
ために出力する発光信号と、発光部からの射出光の色に対応してその色の光を受光した受
光部の受光信号との一致状況に基づいて、透過型であれ反射型であれ、メダルの有無や真
偽判定（真正のメダルであることの判定）を下し、その結果に応じて、具体的には、真正
のメダルであれば遊技機の遊技の継続を許可し、メダルに擬制した異物であれば遊技の停
止を決定する。
【００２１】
こうした構成を有する本発明の遊技機に上記した発光異物がメダルに代わって投入され
たとすると、多くの場合、発光異物は単一の色の光（例えば、白色光）を発するので、発
光部が照射する光の色ごとに該色の光を受光するよう用意された複数の受光部では、発光
部からの射出光の色変更の順に倣った受光部の受光順序の変化は起きない。よって、こう
した受光部の受光順序変化の有無からも、異物検出を行うことができ、その信頼性を高め
ることができる。
【００２２】
発光部から複数種類の色の光を照射するに当たっては、光の３原色であるいわゆるＲＧ
Ｂの発光源を発光部に備え付け、各発光源の出力を調整することで、発光部から複数種類
の色の光を照射できる。また、発光部が照射する光の色ごとに該色の光を受光する複数の
受光部とするに当たっては、それぞれの受光部に例えばＲＧＢのそれぞれの色のフィルタ
を備え付け、それぞれの色のフィルタを通過した光だけをそれぞれの受光部で受光するよ
うにすることができる。例えば、赤のフィルタを備えた受光部では、発光部が赤色の光を
発したときにのみ光を受光して受光信号を出力するが、緑や青の光が発光部から照射され
てもこれらの色を受光せず、受光信号を出力しない。青のフィルタを備えた受光部、緑の
フィルタを備えた受光部でも同様であり、これらの受光部は、発光部からの射出光の色変
更に追従して、切り替わる。
【００２３】
上記したように発光部からの光の色を順次変更する本発明の遊技機では、前記発光部か
らの射出光の色を変更する際の色の発現順序を設定することもできる。こうすれば、色の
発現順序の設定の都度に受光する発光部の順序が変化するので、仮に、発光異物が複数種
類の色の光を発光することができたとしても、本発明の発光部での色変化と同じ順序で発
光異物の色を変化させることが困難であり、発光部からの射出光の色変更の順に倣った受
光部の変化はより起き難くできるので、異物検出の信頼性をより高めることができる。こ
うした色の発現順序の設定は、所定タイミングで行うようにでき、例えば、前記遊技機へ
の電源投入タイミング、ユーザーによる設定操作部の操作タイミング、所定時間ごとの周
期タイミング、前記遊技機における所定の遊技状態（例えば、大当たり入賞）への推移タ
イミングの少なくともいずれかのタイミングで色の発現順序を設定すればよい。こうすれ
ば、発光部からの色の発現順序は設定タイミングの都度に変わるので、異物検出の更なる
信頼性向上を図ることができる。
【００２４】
本発明は、既述した遊技機の他、メダル検出装置やメダル経路を通過するメダル検出方
法として適用できる。そして、本発明のメダル検出装置と検出方法によっても、簡単な構
成で異物検出の信頼性を高めることができる。
【図面の簡単な説明】
【００２５】
【図１】スロットマシン１００の概略構成を表す斜視図である。
【図２】スロットマシン１００の内部構造の概略を表す斜視図である。
【図３】メダル識別機構２００の概略構成を示す説明図である。
【図４】メダル検出部２１０の外観を概略的に示す説明図である。
【図５】メダル検出部２１０を破断して示す説明図である。
【図６】発光部・受光部を有する二対の光学系の様子を模式的に示した説明図である。
【図７】スロットマシン１００の電気的な構成の概略を示すブロック図である。
【図８】発光部２１６での発光の様子と受光部２２０での受光の様子を機能ブロックと共に模式的に示す説明図である。
【図９】メダルの検出の様子を示す説明図である。
【図１０】非透光体と発光体を接合した発光異物が光軸に掛かっている場合の当該発光異物の検出の様子を示す説明図である。
【図１１】発光信号のパルス性状変化を反射型の光学系に適用した第１変形例を示す説明図である。
【図１２】二つの光学系の発光部２１６に出力するパルス信号のパルス性状を光学系ごとに異なるものとした第２変形例の概略構成を模式的に示す説明図である。
【図１３】第３変形例における光学系の構成を概略的に示す説明図である。
【図１４】発光色発現信号に基づいたＲＧＢの各発光部からの光の射出状況とＲＧＢの各受光部での受光状況を示す説明図である。
【図１５】第３変形例における発光部から射出される光の色順序を設定する様子を示す説明図である。
【発明を実施するための形態】
【００２６】
以下、本発明の実施の形態について、実施例に基づき説明する。本実施例では、メダル
検出が不可欠な遊技機の一例であるスロットマシン１００について説明する。図１はスロ
ットマシン１００の概略構成を表す斜視図、図２はスロットマシン１００の内部構造の概
略を表す斜視図である。
【００２７】
図示するように、スロットマシン１００は、中空の箱状をなす本体１０２に対して前面
扉１０３を開閉自在に備え、正面視略矩形状とされている。本体１０２は、スロットマシ
ン１００の骨格をなす部材であり、スロット遊技に必要な種々の機器を収納するが、本発
明の要旨とは直接関係しないので、概略的な詳細に止めることとする。
【００２８】
図２に示すように、本体１０２は、その内部上段に、各種の図柄等が表示され三つの回
胴１１１を回転可能に備え、内部下段には、ホッパ装置１１２や電源ボックス１１３を備
える。ホッパ装置１１２は、メダルを貯留する補助タンク１１２ａ内のメダルを前面扉１
０３の側のメダル払出口１１４へ払い出す。電源ボックス１１３は、スロットマシン１０
０の遊技を制御する制御装置１２０を始めとする種々の機器に電源を供給する。
【００２９】
前面扉１０３は、その前面に、それぞれの回胴１１１を臨ませる窓１０３ａを備える他
、遊技者に操作されるボタン群やライン表示灯、メダル投入口１０４、メダル払出口１１
４からのメダルを受け取るメダル受皿１１５等を有する。また、前面扉１０３は、その背
面側に、既述した制御装置１２０の他、扉ロック用のキーシリンダ１１８や、メダル識別
機構２００、メダル補給経路１１６、メダル排出経路１１７等を有する。メダル識別機構
２００は、メダル投入口１０４から投入されたメダルをメダル補給経路１１６とメダル排
出経路１１７に振り分ける機能も果たす。つまり、メダル識別機構２００は、使用できる
メダルと否であるメダルとをメダル直径に応じて選別する周知の振分機構を有し、メダル
投入口１０４から投入されたメダルがスロットマシン１００に不適合のメダルであった場
合には、このメダル識別機構２００にて選別され、その下方に位置するメダル排出経路１
１７へ排出される。
【００３０】
一方、メダル投入口１０４から投入されたメダルがスロットマシン１００に適合するメ
ダルであった場合には、このメダル識別機構２００にて選別されたメダルは、メダル補給
経路１１６へと排出される。このメダル補給経路１１６は、前面扉１０３から奥方（本体
１０２の背面側）にむかって延出されており、前面扉１０３が閉状態となると、補助タン
ク１１２ａの上方にその先端部が位置するように構成されている。これにより、本スロッ
トマシン１００に適合するメダルは、メダル識別機構２００とメダル補給経路１１６とに
より導かれて、補助タンク１１２ａに補給され当該タンクにて貯留される。
【００３１】
また、メダル識別機構２００は、メダル投入口１０４から投入されたメダルの真偽判別
や計数に必要なセンサ信号を取得し、当該信号を制御装置１２０に送信する。制御装置１
２０は、メダル識別機構２００からのセンサ信号に基づいてメダルの真偽判別や計数を行
う。こうしたセンサ信号収得については、メダル識別機構２００の構成と共に後述する。
【００３２】
ここで、スロットマシン１００による遊技の様子について簡単に説明する。遊技者が前
面扉１０３のメダル投入口１０４にメダルを投入すると、当該メダルは、メダル投入口１
０４からメダル識別機構２００にメダルを導く後述のメダル経路を通過し、メダル識別機
構２００に達する。メダル識別機構２００は、メダル経路を通過するメダルが既述した適
正のものであれば、メダルをホッパ装置１１２に振り分けて送り込み、適正でなければ、
メダルをメダル排出経路１１７を経て外部に排出する。この振り分けと共に、メダル識別
機構２００は、後述するようなセンサ信号を制御装置１２０に出力するので、制御装置１
２０にてメダル真偽が判定され、真正のメダルであれば、遊技が開始できる状態となる。
真正なメダルでなければ、制御装置１２０は、その旨を前面扉１０３の表示灯等で報知す
る。
【００３３】
遊技開始ができる状態となれば、遊技者は、前面扉１０３のスタートレバー１０５を操
作する。そうすると、制御装置１２０は、回胴１１１をそれぞれ回転させるので、遊技者
は、回胴１１１に対応したストップボタン１０６を押圧する。その押圧を受けて、制御装
置１２０は回胴１１１をそれぞれ停止させる。そして、停止した三つの回胴１１１の縦横
斜めの図柄の一致状況に基づいて景品メダルをメダル受皿１１５に排出する。
【００３４】
次に、メダル識別機構２００について説明する。図３はメダル識別機構２００の概略構
成を示す説明図である。図示するように、メダル識別機構２００は、投入を受けたメダル
Ｍを導くメダル経路２０２を有する。このメダル経路２０２は、メダルが１列で通過する
よう形成されており、前面扉１０３のメダル投入口１０４からメダル補給経路１１６（図
２参照）を経てメダルＭを受け取り、下流に通過させる。メダル経路２０２は、装置上方
から図において装置右方に湾曲した軌道を有する主経路２０３と、装置上方から真っ直ぐ
下方に延びる軌道の排出経路２０４とを分岐して備える。主経路２０３は、上記の湾曲軌
道に沿ってメダルＭを通過させ、当該メダルを既述した図２のメダル補給経路１１６に送
り出す。排出経路２０４は、主経路２０３の経路分岐箇所に設置された通路切替片２０５
の駆動による経路切替により、メダルＭをメダル排出経路１１７に送り出す。通路切替片
２０５は、図示しないソレノイドによりメダル経路２０２の経路内に突出し、これにより
経路を切り替える。なお、ソレノイド駆動を伴うこうした経路切替は、直径に基づく既述
したメダル振り分けの結果に応じて行われる他、メダル詰まり時の遊技者による返却スイ
ッチ操作によっても行われる。また、上記した各メダル経路は、メダル設置箇所が凸条と
されており、メダルＭは凸条の頂上に接しつつ転がるように搬送される。
【００３５】
メダル識別機構２００は、主経路２０３の経路途中に、メダル検出部２１０を有する。
図４はメダル検出部２１０の外観を概略的に示す説明図、図５はメダル検出部２１０を破
断して示す説明図である。これら図面に示すように、メダル検出部２１０はボディ２１２
を備え、メダル識別機構２００の筐体にネジ止め固定される。メダル検出部２１０は、主
経路２０３を通過するメダルＭの手前側（図３の紙面での手前側）にボディ２１２から突
出した光路形成体２１４を備え、当該形成体基部に、発光ダイオードからなる発光部２１
６を２個有する。
【００３６】
発光部２１６から射出された光（射出光）は、発光部２１６の前方側の小径の貫通孔２
１７を光路として進み、光路形成体２１４先端の反射面２１８にて反射する。反射面２１
８は、図示するように傾斜して形成されていることから、反射面２１８での反射光は、図
中に符号Ａで示す軌跡を光軸として斜めにボディ２１２の側に進む。つまり、メダル検出
部２１０は、主経路２０３を通過するメダルＭに対して、メダル表面と斜めに交差する方
向から光を射出する。
【００３７】
メダル検出部２１０は、ボディ２１２にフォトセンサからなる受光部２２０を備える。
反射面２１８が光路形成体２１４の先端側に位置し、受光部２２０がボディ２１２の側に
位置し、メダルＭは光路形成体２１４と受光部２２０との間に位置するという位置関係か
ら、受光部２２０は、主経路２０３を通過するメダルＭに対して斜めに交差する方向から
受光部２２０にて光を受光して、その受光光量に応じて受光信号の出力状況を変化させる
。発光部２１６と受光部２２０のこうした位置関係から、この発光部２１６と受光部２２
０は、主経路２０３を通過するメダルＭに光を射出して検出する光透過型の検出部を構成
し、この検出部は、発光部２１６から射出されて受光部２２０に受光される光の光軸を、
メダルＭに対して傾斜させていることになる。
【００３８】
メダル検出部２１０は、上記した発光部２１６と反射面２１８および受光部２２０を対
として一対の光学系を構成し、この光学系をボディ２１２に二対組み込んで備える。図６
は発光部・受光部を有する二対の光学系の様子を模式的に示した説明図である。なお、以
下の説明に際しては、二対の上記の光学系を区別するため、それぞれの光学系の発光部と
受光部とを添え字ａ、ｂを付して区別し、第１発光部２１６ａ、第２発光部２１６ｂ、第
１受光部２２０ａ、第２受光部２２０ｂと呼ぶ。
【００３９】
図６に模式的に示されているように、第１発光部２１６ａと第１受光部２２０ａを有す
る光学系（第１光学系）と第２発光部２１６ｂと第２受光部２２０ｂとを有する光学系（
第２光学系）とは、所定の間隔、上記の発光部・受光部のメダル検出部２１０への組み込
み間隔だけ隔たっている。メダルＭが主経路２０３を通過すると、まず、メダル通過が第
１光学系により第１受光部２２０ａの受光光量の推移から検出され、次いで、第２光学系
により第２受光部２２０ｂの受光光量の推移から検出される。そして、主経路２０３を通
過するメダルＭの経路に沿った両光学系の間隔が所定のものであり、主経路２０３におけ
るメダルＭの通過速度も予め判明していることから、両光学系での受光タイミングのズレ
（メダル通過時間差）により、主経路２０３におけるメダル通過の有無検出、即ちメダル
検出が行われる。こうしたメダル検出処理については、本発明の要旨と直接関係しないも
のの、その概要については後述する。
【００４０】
ここで、本実施例のスロットマシン１００の電気的な構成について、本発明に関連する
構成を中心に説明する。図７はスロットマシン１００の電気的な構成の概略を示すブロッ
ク図である。
【００４１】
制御装置１２０は、本装置全般の制御を司る制御部１２１を備える。この制御部１２１
は、論理演算を実行するＣＰＵを中心に構成され、遊技プログラム等を記憶したＲＯＭ、
データの一時的な記憶を行うＲＡＭ等と協働して、メダル検出、メダル真偽判定、メダル
計数、表示機器制御、回胴１１１の回動制御等を行う。制御部１２１は、ＣＰＵの他、メ
ダル数カウンタ等も備え、リセットスイッチ１２２、スタートレバー１０５、第１発光部
２１６ａ、第２発光部２１６ｂ、第１受光部２２０ａ、第２受光部２２０ｂや、各種セン
サ・スイッチ群１２３、表示機器や回胴、その他の制御対象機器群１２４と接続されてい
る。本発明に関与する構成としては、第１発光部２１６ａ、第２発光部２１６ｂ、第１受
光部２２０ａ、第２受光部２２０ｂが上げられ、制御装置１２０は、第１、第２の発光部
を所定規則に従ってパルス状に発光制御し、この発光部の発光周期に合わせた第１、第２
の受光部からの受光信号（センサ出力）に応じて、メダル検出、投入メダルの真偽判定を
行う。ここで、メダル検出の様子について簡単に説明する。
【００４２】
既述したように、御装置１２０は、第１発光部２１６ａ、第２発光部２１６ｂを所定の
一定周期に従ってパルス状に発光制御するので、各光学系の受光部は、メダル通過がない
場合には、発光部のパルスに応じてパルス状の受光信号（ＯＮ信号）を周期的に出力する
。その一方、メダルＭが投入されると、メダル通過に伴って第１光学系の第１発光部２１
６ａの光が遮られ、次いで第２光学系の第２発光部２１６ｂの光が遮られる。第１光学系
と第２光学系との隔たりがメダル径より大きければ、第１光学系の第１受光部２２０ａで
第１発光部２１６ａの各パルス状発光の光を受光しない期間が続いた後に、第１発光部２
１６ａでは受光（パルス状のＯＮ信号出力）して第２光学系の第２受光部２２０ｂでは第
２発光部２１６ｂの各パルス状発光の光を受光しない期間が続き、最後に第２発光部２１
６ｂで受光（パルス状のＯＮ信号出力）することになる。この受光タイミングにより、メ
ダルＭの検出がなされる。
【００４３】
その一方、経路の短縮等のために第１光学系と第２光学系との隔たりをメダル径より小
さくすることが多々ある。こうした場合には、メダルＭの通過に伴って第１光学系、第２
光学系の順で発光部からのパルス状の光が遮られるものの、両光学系で同時に光が遮られ
た後、第１光学系、第２光学系の順に再度、発光部からの光が受光部で受光される。よっ
て、各光学系での受光部でのパルス状の受光信号の出力は、メダル通過に伴ってまず最初
に第１光学系での第１受光部２２０ａでの未受光（ＯＦＦ信号）の期間があり、次いで、
両光学系での未受光（ＯＦＦ信号）の期間、第１光学系での第１受光部２２０ａでは受光
（パルス状のＯＮ信号出力）で第２光学系での第２受光部２２０ｂでは未受光（ＯＦＦ信
号）の期間、両光学系で受光（パルス状のＯＮ信号出力）の期間が連続することになる。
こうしたパルス状の信号の入力の推移の様子から、メダルＭの検出がなされる。
【００４４】
次に、本実施例における真性のメダル検出、メダルを擬した異物検出の様子や、発光部
２１６での発光の様子、受光部２２０での受光の様子について説明する。図８は発光部２
１６での発光の様子と受光部２２０での受光の様子を機能ブロックと共に模式的に示す説
明図、図９はメダルの検出の様子を示す説明図である。この図９においては、左方がメダ
ル有りの場合を、右方がメダル無しの場合の様子を示している。
【００４５】
図８に示すように、制御装置１２０は、図７で説明した制御部１２１のＲＯＭに記憶し
た真偽判定プログラムやＣＰＵ等と協働して、信号生成部１３１と、発光制御部１３２と
、検出部１３３と、遊技継続決定部１３４と、パスル設定部１３５を構成する。信号生成
部１３１は、パルス信号を生成するが、そのパルス信号生成の際には、図８に示すように
、パルス信号の性状に変化を来して、パルス信号を生成する。つまり、この信号生成部１
３１は、パルス振幅が変化するようにしてパルス信号を生成したり、パルス幅が変化する
ようにしてパルス信号を生成する。この場合、こうしたパルス性状の変化は、任意の一つ
のパルス性状に変化を来すようにできるほか、二つ以上のパルス性状が変化するようにで
きる。例えば、パルス周期を一定とした上で、各パルスのパルス振幅とパルス幅の一方、
或いは両方を変化させることもできる。こうしたパルス振幅・パルス幅の変化は、発光光
量の変化をもたらす。そして、パスル設定部１３５は、こうしたパルス性状の変化の状況
を、スロットマシン１００への電源投入タイミング、ユーザーによる図示しない設定操作
部の操作タイミング、所定時間ごと（定時ごと）の周期タイミング、スロットマシン１０
０における所定の遊技状態（例えば、大当たり入賞）への推移タイミングなどのタイミン
グで、設定する。
【００４６】
上記したようにパルス性状に変化を来すに当たり、図６に示したそれぞれの光学系の光
軸にメダルＭが差し掛かってからその光軸からメダルＭがずれるまでの期間、即ちメダル
Ｍの光学系通過期間のうちに、複数パルスの発光がなされるパルス信号は生成される。パ
ルス振幅やパルス幅を変化させる手法としては、例えば乱数発生装置により発生させた乱
数に応じてパルス振幅やパルス幅を変えていく手法がある。所定の変化パターンで、パル
ス性状としてのパルス振幅やパルス幅に変化を来すようにすることもできる。
【００４７】
発光制御部１３２は、信号生成部１３１の生成したパルス信号を両光学系の第１発光部
２１６ａ、第２発光部２１６ｂに出力して、各発光部からパルス状に光を射出させる。検
出部１３３は、パルス信号と両光学系における第１受光部２２０ａ、第２受光部２２０ｂ
が出力する受光信号との同期状態と、受光信号の出力状況とに基づいて、検出対象物が真
正のメダルであるかを後述するように検出する。遊技継続決定部１３４は、検出部１３３
の検出結果に応じて、スロットマシン１００の遊技の継続許可と遊技停止を決定する。こ
うした構成のスロットマシン１００でのメダルＭ検出は次のようになる。
【００４８】
図９の左側に示すように、メダルＭが図示しない主経路２０３を通過する場合、メダル
Ｍは、発光部２１６からの射出光が反射面２１８で反射して受光部２２０に到る光軸に掛
かる。メダルＭは通常金属製であるために発光部２１６からの射出光（反射面２１８での
反射光）を遮る。これにより、受光部２２０では、それまで受光可能であった光を受光し
なくなるので、制御装置１２０は、受光なしに対応する受光信号（最小レベル信号＝ゼロ
レベル信号）を受けることを意味する。メダルＭが主経路２０３を更に通過し光軸から脱
すると、右側に示すように、受光部２２０は、発光部２１６からの射出光（反射面２１８
での反射光）を直接受光し、その受光光量に応じた受光信号を制御装置１２０に出力する
。つまり、受光信号は、主経路２０３におけるメダルＭの通過により、受光信号が最小レ
ベルから推移（増大推移）する。なお、こうした受光信号レベルの推移は、発光がパルス
状であることから、その各パルスの光を受光したパルス状の受光信号のそれぞれで発現す
る。
【００４９】
ところで、上記したように、両光学系での発光部での発光は、信号生成部１３１がパル
ス性状に変化を来した上でのパルス状の発光となる。一例を挙げれば、発光周期はパルス
周期一定であるため一定周期であるものの、各パルスのパルス振幅が変化しているために
、或いは各パルスのパルス幅が変化しているために、各パルスでの発光光量が変化した状
態で、第１発光部２１６ａと第２発光部２１６ｂはそれぞれ発光する。そして、対応する
第１受光部２２０ａと第２受光部２２０ｂは、メダルＭが光軸に掛かっていない状況下で
は、パルス周期と合致したタイミングでそれぞれの発光部からの光を受光して、その受光
光量に応じた受光信号を制御装置１２０に出力し、その出力は、各パルスのパルス幅或い
はパルス振幅に相当する光量に応じた受光信号となる。この受光信号は、それぞれのパル
ス幅或いはパルス振幅に対応した大きさの受光信号として発光部でのパルス周期に合致し
て出力される。
【００５０】
制御装置１２０は、こうした受光光量の推移に基づく受光信号（センサ出力）を、図６
で示したように第１光学系の第１受光部２２０ａと、第２光学系の第２受光部２２０ｂと
から所定時間（メダルＭが両光学系を通過する時間）のうちに入力する。そして、制御装
置１２０は、こうした信号入力を両光学系から順次受けることで、メダルＭの通過を検知
してメダル計数を行うと共に、発光パルスと受光信号パルスとの合致状態に基づいて、次
のようにして投入メダル（通過メダル）の真偽判定も行う。
【００５１】
真正なメダルＭが投入された場合には、それぞれの光学系では、光学系へのメダルＭの
通過に伴って、光軸にメダルＭが掛かっていない状態から光軸にメダルＭが掛かった状態
、次いで光軸にメダルＭが掛かっていない状態となる。こうした光軸との関係を、発光部
２１６によるパルス状の発光と受光部２２０での受光と関連付けて説明する。メダルＭが
光学系に達していないために光軸にメダルＭが掛かっていない状態では、例えば、パルス
周期一定でルス振幅変化或いはパルス幅変化のパルス性状で発光部２１６がパルス状の発
光を行っていれば、受光部２２０での受光信号出力は、発光部２１６での発光のパルス周
期と同期して得られ、受光信号の出力レベルは、発光部２１６でのパルス幅変化或いはパ
ルス振幅変化に対応して変化したものとなる。制御装置１２０は、発光部２１６へのパル
ス信号の出力状態と受光部２２０からの受光信号の入力状態とから、受光部２２０での受
光信号パルスと発光部２１６での発光パルスとの同期状況を把握すると共に、受光信号の
出力レベル変化と発光部２１６でのパルス幅変化或いはパルス振幅変化との対応も取るこ
とができ、この結果、メダルＭが光学系に達していないと判定される。
【００５２】
こうした状態からメダルＭが光軸に掛かる状態となると、メダルＭによる光の遮蔽によ
り、受光部２２０は、発光部２１６でのパルス状の発光がなされているにも拘わらず受光
しないので、受光信号は受光無しに対応する最小レベルとなる。次いで、メダルＭが光学
系を通り過ぎ光軸にメダルＭが掛かっていない状態となると、受光部２２０は発光部２１
６のパルス状の発光に同期したタイミングでの受光信号出力と、発光部２１６でのパルス
幅変化或いはパルス振幅変化に対応して変化した信号レベルでの信号出力を行う。よって
、制御装置１２０は、こうしたパルス信号との同期の状態や、発光部２１６でのパルス状
の発光状況に対応した受光信号パルスの入力状態とから、光学系でのメダルＭの通過検出
を行い、両光学系からの上記した入力インターバルでの信号入力状況から、メダルＭの真
偽判定を行う。
【００５３】
ここでメダルＭが真正なメダルであると判定されると、制御装置１２０は、その後のス
ロットマシン１００の遊技の継続を許可するので、遊技者はスタートレバー１０５やスト
ップボタン１０６の操作を伴う遊技を行うことができる。その一方、制御装置１２０は、
後述するようにして検出対象物は真正のメダルＭではないとして、遊技を停止するよう、
各種機器を制御する。例えば、スタートレバー１０５やストップボタン１０６の操作を無
効として遊技できないようにしたり、種々の表示装置やスピーカー等にて、真正ではない
メダルＭが検出されたと報知する。
【００５４】
次に、光軸に発光異物が掛かっている場合について説明する。図１０は非透光体と発光
体を接合した発光異物が光軸に掛かっている場合の当該発光異物の検出の様子を示す説明
図である。
【００５５】
本実施例のスロットマシン１００は、既述したように透過型の光学系のメダル検出部２
１０を有することから、メダルＭの通過を擬制する発光異物は、図１０に示すように、発
光部２１６の側、本実施例ではメダルＭに対して光を照射する反射面２１８の側が非透過
体でその裏面、即ち受光部２２０の側で自らがパルス状に発光する発光体を有するものと
なる。つまり、この発光異物は、非透過体で発光部２１６からの光を遮り、発光体で受光
部２２０に光をパルス状に射出しつつその発光状態を制御することで、メダルＭの通過を
擬制する。
【００５６】
こうした発光異物でメダルＭの通過を擬制する場合、発光体の発光状態、具体的には、
パスル状発光のパルス幅、パルス振幅等は、本実施例におけるメダル検出部２１０の発光
部２１６のパルス状発光を模して、外部で一旦は調整済みである。そうすると、透過型の
光学系であるメダル検出部２１０では、受光部２２０は発光異物が発するパルスと同期し
たパルス状の受光信号を出力する。しかしながら、メダル検出部２１０では、第１、第２
の光学系での発光部２１６の発光状態を、発光部２１６に出力するパルス信号に依存した
一定周期でパルス状の光射出としていると共に（図８参照）、そのパルス信号の性状とし
てのパルス振幅、パルス幅に変化を来している。
【００５７】
よって、発光部２１６でのパルス状発光のために性状変化を来しているパルス信号の変
化状況と、外部で調整済みの発光状況で発光している発光異物の発光に基づく受光部２２
０でのパルス状の受光信号の出力状況とは、ほとんど一致することがない。仮に、発光異
物の発光状況と発光部の発光のためのパルス信号の性状変化の状況とが一致していても、
メダル検出部２１０の発光部２１６に出力されるパルス信号の性状は変化するので、発光
異物の発光状況をパルス信号の性状変化の状況に継続して一致させることは不可能である
。このため、真正のメダルＭが投入されたときと、メダルＭを擬制した発光異物が投入さ
れたときとでは、発光部発光のためのパルス信号の性状変化による受光部の受光信号の出
力状況（真正のメダルＭ投入時）と、発光異物の発光状況による受光部の受光信号の出力
状況（発光異物号乳児）とは、大きく相違することになる。この結果、上記構成を有する
本実施例のスロットマシン１００によれば、発光異物検出の信頼性を高めることができ、
異物検出の検出結果に応じた遊技機の遊技の継続許可と遊技停止との決定についても信頼
性を高めることができる。
【００５８】
しかも、本実施例では、光学系を二つ並べて備えることから、発光異物は、受光部２２
０の側の発光体の発光箇所のパルス状発光を通して、メダルＭが両光学系を順次通過して
いく様子を擬制する必要がある。ところが、既述したように各光学系の発光部２１６での
パルス状発光のパルス性状を各光学系で変化させていることから、発光箇所のパルス状発
光を通してメダル通過を擬制することは困難である。
【００５９】
また、本実施例のスロットマシン１００では、図８に示したようなパルス振幅、パルス
幅といったパルス性状に変化を来してパルス信号を生成するに当たり、こうしたパルス信
号の性状の変化状況をパスル設定部１３５にて設定するようにした。このため、パスル設
定部１３５によるパルス性状の変化状況の設定の都度にパルス性状が変化するので、発光
部２１６でのパルス状発光のために性状変化を来しているパルス信号の性状変化の状況と
、発光異物により受光部２２０で得られるパルス状の受光信号の出力状況の一致をより困
難にできる。よって、本実施例によれば、発光異物の検出の信頼性をより一層高めること
ができる。特に、パルス信号の性状変化設定を、スロットマシン１００への電源投入タイ
ミング、ユーザーによる図示しない設定操作部の操作タイミング、所定時間ごと（定時ご
と）の周期タイミング、スロットマシン１００における所定の遊技状態（例えば、大当た
り入賞）への推移タイミングで行う。よって、発光異物における発光体の発光状態、具体
的には、パスル状発光のパルス振幅やパルス幅等を、本実施例におけるメダル検出部２１
０の発光部２１６のパルス状発光に模して予め外部で調整することはより困難となる。し
かも、発光異物における発光体の発光状態が仮に発光部２１６の発光状態に模して一旦調
整されたとしても、上記の各タイミングでの性状変化の設定により発光状態にずれを生じ
させることができる。よって、発光異物検出の更なる信頼性向上を図ることができる。
【００６０】
しかも、本実施例では、光の射出源である発光部２１６を受光部２２０と同じ側、詳し
くはメダル検出部２１０のボディ２１２に上下に組み込み、反射面２１８での反射光がメ
ダルＭに斜めに照射されるようにした。よって、発光部２１６と受光部２２０とを対向配
置して、メダルＭに光が斜めに照射されるようにした場合に比して、コンパクト化を図る
ことができる。
【００６１】
更に、本実施例では、発光部２１６と受光部２２０とを有する光学系を二対備え、両光
学系を一つのメダル検出部２１０に組み込んで、いわゆるワンパッケージ化を図った。よ
って、二対の光学系の設置や保守等に要する作業性を高めることができる。
【００６２】
次に、変形例について説明する。図１１は発光信号のパルス性状変化を反射型の光学系
に適用した第１変形例を示す説明図である。この第１変形例は、発光部２１６からの射出
光がメダルＭや発光異物に反射して受光部２２０に達するよう反射型の光学系を備え、こ
の発光部２１６に出力する発光信号を、図８で説明したようにそのパルス性状に変化を来
しつつ出力する点に特徴がある。
【００６３】
こうした反射型の光学系を有する第１変形例のスロットマシン１００では、メダルＭに
代わって投入された発光異物は、光学系の受光部２２０の側に向けて自らがパルス状に発
光して反射光が受光部２２０に届いたようにすることで、メダルの通過を擬制する。この
場合であっても、上記したように、性状変化を来しているパルス信号と、発光異物の発光
に基づく受光部２２０でのパルス状の受光信号との同期は見られず、仮に、両信号周期が
一致していても、その周期一致状態の継続はなく同期を取ることはできない。
【００６４】
従って、図１１に示す第１変形例のスロットマシン１００にあっても、既述した異物検
出の信頼性向上等の効果を奏することができる。
【００６５】
次に、第２変形例について説明する。図１２は二つの光学系の発光部２１６に出力する
パルス信号のパルス性状を光学系ごとに異なるものとした第２変形例の概略構成を示す説
明図である。この第２変形例は、第１光学系の第１発光部２１６ａについては、パルス振
幅に変化を来したパルス信号を出力し、第２光学系の第２発光部２１６ｂについては、第
１光学系と異なるパルス性状、例えば図示するようにパルス幅に変化を来したパルス信号
を出力する点に特徴がある。
【００６６】
この第２変形例では、異なるパルス性状により第１光学系の第１発光部２１６ａと第２
光学系の第２発光部２１６ｂとでのパルス状の光発光（光射出）を異なる性状とする。よ
って、上記した発光異物が第１、第２の光学系を順次通過する際において、それぞれの光
学系でのパルス信号同期と受光信号出力状況とに基づいた高い信頼性での異物検出と相俟
って、両光学系を有する第２変形例のスロットマシン１００における異物検出の信頼性を
更に向上できる。しかも、第１光学系と第２光学系とでは、第１発光部２１６ａと第２発
光部２１６ｂの発光の状態（パルス性状）が異なるので、発光異物が両光学系に掛かるよ
うにされた場合、光学系ごとの発光異物における発光状況が同じであれば、簡単にこれら
異物の検出ができ、より一層、異物検出の信頼性が高まる。また、光学系ごとの発光異物
における発光状況が相違するようにされたとしても、既述したような発光信号のパルス性
状変化の設定により、いずれかの光学系でのパルス信号同期や受光信号出力状況から、こ
れら異物の検出を確実に検出でき、高い信頼性で異物検出を行うことができる。
【００６７】
次に第３変形例について説明する。図１３は第３変形例における光学系の構成を概略的
に示す説明図である。図示するように、この第３変形例は、発光部２１６を光の３原色の
光の色を射出する三つの発光部を備える点と、光の３原色のそれぞれを選択的に受光する
三つの受光部を備える点に特徴がある。
【００６８】
図示するように、この第３変形例のスロットマシン１００は、赤色の光を射出するＲ発
光部２１６Ｒと、緑色の光を射出するＧ発光部２１６Ｇと、青色の光を射出するＢ発光部
２１６Ｂとで発光部２１６を構成し、ＲＧＢ出力切替部３００により各色の発光部からの
光の射出を制御する。ＲＧＢ出力切替部３００は、制御部１２１におけるＣＰＵやＲＯＭ
の図示しないプログラム等の協働により構成され、後述する発光色発現信号に基づいて、
Ｒ発光部２１６Ｒと、Ｇ発光部２１６Ｇと、Ｂ発光部２１６Ｂのいずれかの発光部から光
を射出させる。この場合、発光色発現信号は、制御部１２１のＣＰＵやＲＯＭの図示しな
いプログラム等が協働して生成される。
【００６９】
また、この変形例のスロットマシン１００は、反射面２１８で反射した反射光を受光す
るため、赤色のフィルタ２２０Ｒｆと赤色光の受光用の受光部２２０Ｒと、緑色のフィル
タ２２０Ｇｆと緑色光の受光用の受光部２２０Ｇと、青色のフィルタ２２０Ｂｆと青色光
の受光用の受光部２２０Ｂとを備え、これらで受光部２２０を構成する。受光部２２０Ｒ
〜２２０Ｂは、同一の構成の受光部であるが、その手前のフィルタにより、当該フィルタ
で規定される色の光を受光して、その色の光の受光光量に応じた受光信号を出力する。
【００７０】
図１４は発光色発現信号に基づいたＲＧＢの各発光部からの光の射出状況とＲＧＢの各
受光部での受光状況を示す説明図である。この図１４に示すように、第３変形例のスロッ
トマシン１００では、ＲＧＢの各発光部を発光制御するための発光色発現信号をそれぞれ
の発光部に出力し、Ｒ発光部２１６Ｒ、Ｇ発光部２１６Ｇ、Ｂ発光部２１６Ｂの順に、こ
れら発光部から繰り返し光を射出する。これにより、反射面２１８で反射してメダルＭな
どの検出対象物に達する光は、赤色、緑色、青色の順にその色を変える。こうして色が変
化した射出光（反射面２１８での反射光）は、その光の色に対応した受光部２２０Ｒ〜２
２０Ｂで受光され、それぞれの受光部２２０Ｒ〜２２０Ｂは、対応する色の光の受光光量
に応じた受光信号を出力する。この場合、Ｒ発光部２１６Ｒ、Ｇ発光部２１６Ｇ、Ｂ発光
部２１６Ｂからの射出光の射出の順、つまりは色変更の順に、光を受光する受光部２２０
Ｒ〜２２０Ｂは変化する。
【００７１】
図１４の例では、Ｒ発光部２１６Ｒ、Ｇ発光部２１６Ｇ、Ｂ発光部２１６Ｂがこの順で
繰り返しそれぞれの色の光を射出し、受光部２２０Ｒ、受光部２２０Ｇ、受光部２２０Ｂ
の順に、繰り返し受光信号を出力する。そして、この第３変形例のスロットマシン１００
は、Ｒ発光部２１６Ｒ、Ｇ発光部２１６Ｇ、Ｂ発光部２１６Ｂの順次発光のために出力す
る発光信号（図１４参照）と、上記の各発光部からの射出光の色に対応してその色の光を
受光した受光部２２０Ｒ〜２２０Ｂの受光信号との同期の状態と、受光信号の出力状況に
基づいて、メダルＭの有無や真偽判定（真正のメダルであることの判定）を下し、その結
果に応じて、既述したようにスロットマシン１００の遊技の継続を許可し、メダルに擬制
した異物であれば遊技の停止を決定する。
【００７２】
上記した構成の第３変形例のスロットマシン１００に上記した発光異物がメダルに代わ
って投入されたとすると、多くの場合、発光異物は単一の色の光（例えば、白色光）を発
するので、ＲＧＢのフィルタ２２０Ｒｆ〜２２０ＢｆによりＲＧＢのそれぞれ色の光を受
光するよう用意された複数の受光部２２０Ｒ〜２２０Ｂでは、発光部からの射出光の色変
更の順に倣った受光部の受光順序の変化は起きない。そして、発光異物の射出する白色光
は、ＲＧＢのフィルタ２２０Ｒｆ〜２２０ＢｆによりＲＧＢのそれぞれ色の光とされ、受
光部２２０Ｒ〜２２０Ｂの総てで受光される。よって、こうした受光部２２０Ｒ〜２２０
Ｂの受光順序変化の有無からも、発光異物の検出を行うことができ、その信頼性を高める
ことができる。
【００７３】
図１５は第３変形例における発光部から射出される光の色順序を設定した様子を示す説
明図である。つまり、この図１５は、例えば乱数発生装置により発生させた乱数に応じて
色の順序を変えた一例であり、こうすれば、色の発現順序の設定の都度に受光する受光部
２２０Ｒ〜２２０Ｂの順序が変化する。このため、仮に、発光異物がＲＧＢの各色の光を
発光することができたとしても、図１５のように設定した色変化と同じ順序で発光異物の
色を変化させることは困難であり、発光部からの射出光の色変更の順に倣った受光部２２
０Ｒ〜２２０Ｂの変化はより起き難くできる。よって、発光異物の検出の信頼性は高まる
。更に、色の発現順序を、例えば、前記遊技機への電源投入タイミング、ユーザーによる
設定操作部の操作タイミング、所定時間ごと（定時ごと）の周期タイミング、スロットマ
シン１００における所定の遊技状態（例えば、大当たり入賞）への推移タイミングで設定
すれば、発光部からの射出光の色の発現順序は設定タイミングの都度に変わるので、発光
異物検出の更なる信頼性向上を図ることができる。
【００７４】
以上、本発明の実施例について説明したが、本発明は、上記した実施の形態に限られる
ものではなく、その要旨を逸脱しない範囲において種々の態様にて実施することが可能で
ある。例えば、上記の実施例と変形例では、発光部２１６の射出光ＤＬを反射面２１８に
て反射させ、その反射光を射出光ＤＬとしてメダルＭや発光異物と言った検出対象物に照
射したが、発光部２１６自体を反射面２１８の設置箇所に配設し、発光部２１６の射出光
ＤＬを直接検出対象物に照射するようにすることもできる。
【００７５】
また、メダルＭを用いて遊技するスロットマシンを例に挙げ説明したが、本発明は、ス
ロットマシン以外の遊技機であってメダルＭを用いる他の遊技機に加え、メダル検出装置
やメダル経路を通過するメダル検出方法としても適用できる。
【００７６】
更には、図１５で説明した色変化の様子を、一定周期ごとではなく異なる周期で色変化
を起こすようにしたり、ＲＧＢの各色での発光に当たり、色ごとの発光光量に差を持たせ
たりするようにもできる。こうすれば、ＲＧＢの各色に対応した受光部２２０Ｒ〜２２０
Ｂでは、受光光量に差が生じるので、ＲＧＢの各色の光の発光が可能な発光異物において
は、こうして受光光量に差を持たせて発光することが困難であるので、発光異物検出の信
頼性はより高まる。
【００７７】
また、発光部２１６に出力するパルス信号のパルス振幅、パルス幅を既述したように変
化させるに当たり、その変化の様子をスロットマシン１００ごとに異なるようにすること
もできる。こうすれば、発光異物の発光状況が仮に変化するとしても、この変化の状況を
これら異物が投入されたスロットマシン１００におけるパルス性状の変化の状況と一致さ
せることはより困難となり、異物検出の信頼性は高まる。発光部ごとに光の色を変更させ
る形態のスロットマシン１００であっても同様である。
【００７８】
なお、発光部２１６での発光をパルス信号に基づくパルス状発光としたので、パルス振
幅・パルス幅の変化で発光部２１６からの射出光量の変化を起こすようにしたが、発光部
２１６での発光を連続通電で行う場合には、通電電流の電流値を変化させて、光量変化を
起こすようにすることもできる。
【符号の説明】
【００７９】
１００…スロットマシン
１０２…本体
１０３…前面扉
１０３ａ…窓
１０４…メダル投入口
１０５…スタートレバー
１０６…ストップボタン
１１１…回胴
１１２…ホッパ装置
１１２ａ…補助タンク
１１３…電源ボックス
１１４…メダル払出口
１１５…メダル受皿
１１６…メダル補給経路
１１７…メダル排出経路
１１８…キーシリンダ
１２０…制御装置
１２１…制御部
１２２…リセットスイッチ
１２３…各種センサ・スイッチ群
１２４…制御対象機器群
１３１…信号生成部
１３２…発光制御部
１３３…検出部
１３４…遊技継続決定部
１３５…パスル設定部
２００…メダル識別機構
２０２…メダル経路
２０３…主経路
２０４…排出経路
２０５…通路切替片
２１０…メダル検出部
２１２…ボディ
２１４…光路形成体
２１６…発光部
２１６ａ…第１発光部
２１６ｂ…第２発光部
２１６Ｒ…Ｒ発光部
２１６Ｇ…Ｇ発光部
２１６Ｂ…Ｂ発光部
２１７…貫通孔
２１８…反射面
２２０…受光部
２２０Ｂ…受光部
２２０Ｂｆ…フィルタ
２２０Ｇ…受光部
２２０Ｇｆ…フィルタ
２２０Ｒ…受光部
２２０Ｒｆ…フィルタ
２２０Ｒｆ…フィルタ
２２０ａ…第１受光部
２２０ｂ…第２受光部
３００…ＲＧＢ出力切替部
Ｍ…メダル
【図１】
2014205007.tif 000003
【図２】
2014205007.tif 000004
【図３】
2014205007.tif 000005
【図４】
2014205007.tif 000006
【図５】
2014205007.tif 000007
【図６】
2014205007.tif 000008
【図７】
2014205007.tif 000009
【図８】
2014205007.tif 000010
【図９】
2014205007.tif 000011
【図１０】
2014205007.tif 000012
【図１１】
2014205007.tif 000013
【図１２】
2014205007.tif 000014
【図１３】
2014205007.tif 000015
【図１４】
2014205007.tif 000016
【図１５】
2014205007.tif 000017